(57)【要約】【課題】冷蔵室内に設置した収納容器の収納容量を大きくするとともに、冷蔵室を開扉して収納物を出し入れする際には、簡単な構成で収納物の一時置き場が得られる使い勝手のよい冷蔵庫を提供する。【解決手段】本体１の上部に配置され内部に載置棚９あるいは収納容器16を設けた貯蔵室６と、この貯蔵室の前面開口を開閉自在に閉塞し内側に収納ポケット27、27′、28、28′を設けた回動式の扉８、８′と、この扉の内側26、26′から貯蔵室内側に突出して設けられたテーブル板30、30′とからなり、前記扉を開放した場合には、前記テーブル板の上面を載置面として、貯蔵室の載置棚あるいは収納容器の前面に対向して突出するようにしたことを特徴とする。【選択図】  図２
2009228967.tif 000002
【特許請求の範囲】
【請求項１】
本体の上部に配置され内部に載置棚あるいは収納容器を設けた貯蔵室と、この貯蔵室の前面開口を開閉自在に閉塞し内側に収納ポケットを設けた回動式の扉と、この扉の内側から貯蔵室内側に突出して設けられたテーブル板とからなり、前記扉を開放した場合には、前記テーブル板の上面を載置面として、貯蔵室の載置棚あるいは収納容器の前面に対向して突出するようにしたことを特徴とする冷蔵庫。
【請求項２】
貯蔵室を冷蔵室としてこの冷蔵室内の下方部位に区画室を設け、この区画室内に引き出し式の収納容器をその前端部が冷蔵室の前面開口部近傍に至るように配設するとともに、前記収納容器の前方に対応する扉内側には収納ポケットを設置せず、閉扉時には扉の内側に突設したテーブル板を前記収納容器の下部空間に収納させたことを特徴とする請求項１記載の冷蔵庫。
【請求項３】
区画室の上面を天井板で区画することで内部を野菜室とし、冷蔵室内の全幅に亙る収納容器を配置するとともに前記冷蔵室の下方には断熱仕切壁を介して冷凍温度に冷却される冷凍貯蔵空間を配置したことを特徴とする請求項２記載の冷蔵庫。
【請求項４】
載置棚に対向する扉内側の収納ポケットの壁面から貯蔵室側にテーブル板を突設させたことを特徴とする請求項１記載の冷蔵庫。
【請求項５】
閉扉時にはテーブル板を載置棚の下面に添って収納させたことを特徴とする請求項４記載の冷蔵庫。
【発明の詳細な説明】
【技術分野】
【０００１】
本発明は、本体上部に棚容器を設けた貯蔵室とこの貯蔵室の前面開口を回動式の扉で閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵室に対して冷凍室を上部に配置したトップフリーザタイプ、上部の冷蔵室と下部の野菜室との間に冷凍室を配置したミドルフリーザタイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、使用頻度が高く収納容積の最も大きい冷蔵室を最上段に設置し、その下方に野菜室、最下部に冷凍室を設置したタイプが主流になっており、一方では、図５に示されているように、本体上部に区画形成した冷蔵室（56）と、本体下部に区画形成した冷凍室（57）とを設けるとともに、冷蔵室（56）の室内下方部に野菜室（65）を配置した形態が提案されている（例えば、特許文献１参照）。
【０００４】
また、図６には、冷蔵室（76）の最下部の低温室に収納容器（83）を引き出し自在に支持した場合に、その前面に対応する冷蔵室扉（78）の内側には扉ポケット（88）を設けないようにして、収納容器（83）を大きくした形態が記載されている（特許文献２参照）。
【特許文献１】特許第３２０５３０８号公報
【特許文献２】特開２００７−２４３３９号公報
【発明の開示】
【発明が解決しようとする課題】
【０００５】
しかしながら、前記特許文献１に記載の冷蔵室（56）の下方部に野菜容器（66）を設置する形態の前記構成においては、冷蔵庫本体の高さ寸法に対して、冷蔵や冷凍貯蔵空間の各容積区分から冷蔵室内の高さ寸法は自ずと決定されるとともに、冷蔵室内を区分する複数の棚間隔についても、例えば、缶ビールを立てて設置できるようにするために必然的に決定されるものであり、冷蔵室の下方部に野菜容器を設置しても高さに対する制約は大きく、その前面に位置する扉ポケットの存在からも充分な容積を確保することが困難な状況にあった。また、冷蔵室内に野菜容器を配設した場合には、実際的には独立専用扉タイプと同様の収納容積があるにも拘わらず、感覚的に収納容積が小さいという印象をユーザーに与える不具合があった。
【０００６】
前記特許文献１に対して、特許文献２記載の構成は、冷蔵庫の最下部に設けた低温容器（83）の前方に扉ポケット（88）を設けないことで容器を大きくするものであるが、この場合は、低温容器（83）の前端が冷蔵室（76）の前面開口部近傍まで延びていることから、冷蔵室扉を開扉して室内の収納物を取り出す際に、取り出した収納物の一時置き場としての平坦部がなくなるものであり、使い勝手上きわめて不便な状態になる不具合を生じる。
【０００７】
本発明は上記の点を考慮してなされたものであり、冷蔵室内に設置した収納容器の収納容量を大きくするとともに、冷蔵室を開扉して収納物を出し入れする際には、簡単な構成で収納物の一時置き場が得られる使い勝手のよい冷蔵庫を提供することを目的とする。
【課題を解決するための手段】
【０００８】
上記課題を解決するため、本発明の冷蔵庫は、本体の上部に配置され内部に載置棚あるいは収納容器を設けた貯蔵室と、この貯蔵室の前面開口を開閉自在に閉塞し内側に収納ポケットを設けた回動式の扉と、この扉の内側から貯蔵室内側に突出して設けられたテーブル板とからなり、前記扉を開放した場合には、前記テーブル板の上面を載置面として、貯蔵室の載置棚あるいは収納容器の前面に対向して突出するようにしたことを特徴とする。
【発明の効果】
【０００９】
本発明の構成によれば、冷蔵室内に設置した収納容器を前方向に延ばして収納容量を増大することができるとともに、冷蔵室を開扉して収納物を出し入れする際には、好適な場所に収納物の一時置き場を設けることができる使い勝手のよい構成を簡単に得ることができる。
【発明を実施するための最良の形態】
【００１０】
以下、本発明の１実施形態につき図面を参照して説明する。図１に冷蔵室扉を閉扉した状態の縦断面図、図２に冷蔵室扉を開扉した状態を上方からの斜視図で示す冷蔵庫本体（１）は、外箱（２）と内箱（３）との間に発泡断熱材（４）を充填して断熱箱体を形成し、貯蔵室内部を断熱仕切壁（５）によって上部の冷蔵室（６）と下部の冷凍貯蔵空間（７）とに区画している。
【００１１】
前記冷蔵室（６）の前面開口部は観音開き式のフレンチドアとした左右の扉（８）（８′）によって閉塞するとともに、内部の上方部は複数段の載置棚（９）を設けた冷蔵貯蔵室（10）とし、その下方には、透明樹脂製の載置棚を兼ねた天井板（11）で仕切ることで独立空間を形成し、室内を０〜−３℃程度に冷却する低温容器（13）を設けた低温室（12）を区画配設している。
【００１２】
さらに、その下方には、前記低温室（12）の底面を形成する仕切底板（14）を介して独立空間である野菜室（15）を設けている。この野菜室（15）内には、引き出し式の野菜容器（16）を引き出し式で設置しており、野菜室（15）をその室内に設置した構成から前記冷蔵室（６）の高さ寸法は９００ｍｍ以上に設定している。
【００１３】
前記野菜容器（16）は、高さの低い前壁と前部から後方に向かって円弧状に立ち上がる側壁および背壁とからなる上面を開放した容器であり、前記断熱仕切壁（５）の両側上面に前後方向に亙って設けた各一対のスライドレール（17）によって野菜容器（16）の両側下面のコーナー部分を支持するとともに前後方向に摺動可能として引き出し自在な構成としている。
【００１４】
スライドレール（17）は、断熱仕切壁（５）に固着した固定レールと中間レールを介在して野菜容器（16）の底面に固着される可動レールとから形成されたダブルレールであり、容器内に多くの野菜類を収納した場合でも強度の大きな保持力と長い引き出し量により、冷蔵室（６）の前面開口近傍まで安定した状態で容易に引き出すことができるものである。
【００１５】
なお、前記野菜容器（16）を野菜室（15）内の所定の位置に収納した場合の前壁と天井板である仕切底板（14）との間に形成される開口部には、容器の引き出し操作とともに開放する蓋体（18）を設けている。この蓋体（18）は、引き出される容器の側壁をガイドとして上方後部に移動することで開口部を開放し、容器を室内に収納することで開口部を閉鎖するものである。また、手動にても開放でき、後方に押し込むことで開状態を維持することができる。
【００１６】
冷凍貯蔵空間（７）については、前記断熱仕切壁（５）の直下に比較的小容積の自動製氷装置を備えた製氷室（19）と、同様に比較的小容積の冷却貯蔵室、例えば、−１８℃や−９℃のソフト冷凍温度帯などの冷凍温度に冷却することができる温度切替室（20）とを左右に区分し、各前面開口部に設けた扉とともに引き出し式で併置させており、このように室内の温度が冷凍仕様であった場合は、製氷室（17）との間を断熱壁で区分する必要はない。
【００１７】
併置している前記製氷室（19）と温度切替室（20）の下部には、前記同様に引き出し扉式としてその高さ寸法を３５０〜５００ｍｍと従来に比し拡大した冷凍室（21）を本体の全幅に亙って設けており、その前面開口部を開閉自在に閉塞する扉の内側には、左右一対の、特に図示しない支持枠を固着し、この支持枠とともに冷凍室（21）内の両側壁面に前後方向に亙って配置したレール部材によって、冷凍食品を収納する収納容器を保持し、前後に摺動可能な引き出し方式としている。
【００１８】
前記冷蔵室（６）および冷凍貯蔵空間（７）の背面部には、冷蔵用冷却器（22）や冷凍用冷却器（23）、および各冷却器に対応するファン（24）（25）をそれぞれ配設して各貯蔵室を冷却するようにしており、冷蔵室（６）を運転する冷蔵運転時には、冷蔵冷却器（22）からの冷気を冷蔵室（６）内に吐出することによって、前記冷蔵貯蔵室（10）と野菜室（15）を適温に冷却し、また、冷気の一部を低温室（12）内に直接導入してこれを上部の冷蔵室（６）内より低温に冷却する。
【００１９】
冷凍運転では、冷凍用冷却器（23）からの低温冷気を冷凍貯蔵空間（７）である冷凍室（21）や製氷室（19）などに導入して冷却するように制御するが、このとき、冷蔵用冷却器（22）には冷媒を流さないが冷蔵用のファン（24）を回転させるようにしており、着霜状態にある冷蔵用冷却器（22）に０℃以上である冷蔵室（６）内の空気を流すことで、冷蔵用冷却器（22）に付着している霜を融かして熱交換し、同時に霜の融解による水分を多く含んだ高湿低温の冷気を冷蔵貯蔵室（10）から野菜室（15）内に流入させるようにしている。
【００２０】
上記により、野菜室（15）内温度は充分に冷却されることになり、平均的には４℃を保持することができるとともに、加湿冷気が流入することで冷蔵貯蔵室（10）および野菜室（15）内の湿度は８０％程度に高くなる。さらに野菜を収納することにより、その蒸散作用によってさらに湿度は上昇し、９０〜９５％となることから、野菜室（15）は、前記蓋体（18）を開放した状態のままでも野菜容器（16）内の野菜が乾燥しない雰囲気を保持することができる。
【００２１】
前述のごとく、冷蔵室（６）内に野菜室（15）を設けたので、従来のように独立して配設した構成に比して、断熱仕切壁や専用の引き出し扉を必要とせず、野菜容器（16）は、高さ方向のみならず、幅、奥行き寸法が拡大でき、有効な収納容積を増大させることができるものである。また、前記のように、専用扉がなくレール機構も簡素化が可能となるため、コストも低減させることができる。
【００２２】
さらに、扉数が少なくなることから、前面開口部からの熱漏洩を減少できるので消費電力を低減することができるばかりでなく、冷蔵室（６）の下端部位置は、使用者のベルトラインよりわずか下方の位置まで長くなり、同時に冷蔵室扉（８）（８′）も縦方向に大きくなるため、冷蔵庫全体のイメージが新鮮となり斬新なデザインを得ることができる。
【００２３】
そして、買い物後の冷蔵食品と野菜類を収納する場合は、従来のように冷蔵室扉および野菜室扉の双方をそれぞれ開放する必要がなく、冷蔵室扉（８）（８′）のみを開放することで一度におこなうことができる。同時に、開扉により、使用者の腰の下の位置まで開放されることから、冷蔵室（６）は内容積が大きい印象となって広々感を得るとともに、室内が見渡し易く、且つ、野菜室（15）、低温室（12）が冷蔵室（６）内の低い位置にあるため、重いものでも取り出し易くなり、野菜室（15）については、その上端部の高さが、従来構成に比し高い位置となって使用者の目線により近くなり、野菜容器（16）内の野菜などが見やすく、且つ、収納や取り出し操作が格段に向上し、使い忘れを少なくすることができるものである。
【００２４】
冷蔵室扉（８）（８′）の上下寸法が長くなったことにより、これまで収納物の高さ寸法と設計寸法上との間で制約が大きかった扉内側（26）（26′）の収納ポケット（27）（27′）の配置条件が緩和され、従来は最下方であったペットボトル用の大形の収納ポケット（28）（28′）の下方部を収納空間として活用できることになり、本発明においては、前記ペットボトル用の収納ポケット（28）（28′）の下方部位（29）（29′）にはポケットを設けない構成とした。
【００２５】
これにより、本実施例においては、前記野菜容器（16）を、その前部を前記収納ポケットを設置しない扉内側（26）（26′）の下方部位（29）（29′）に近接する冷蔵室（６）の前面開口部近傍まで延出させる構造としている。したがって、野菜容器（16）の奥行き長さは、従来に比して収納ポケット（28）（28′）分を長くすることができるため、その容積を大幅に増加できるものである。
【００２６】
しかして、冷蔵室扉（８）（８′）の各々の扉内側（26）（26′）の下端部からは、対向する野菜容器（16）の底面と断熱仕切壁（５）の上面との間の空間に延びるテーブル板（30）（30′）を突出して設けている。
【００２７】
このテーブル板（30）（30′）は、合成樹脂の薄板を水平の皿状に形成したものであって所定の奥行きと幅寸法を有しており、扉内板（26）（26′）が射出成形品の場合はこれと一体に形成し、また、別部品として形成して扉内板（26）（26′）部に取り付けたものであって、各扉（８）（８′）を開放した際には、図２に示すごとく、水平面が扉内板（26）（26′）面から突出することになり、その水平面を収納品の載置面として利用するものである。
【００２８】
したがって、載置棚（９）上や野菜容器（16）内に多くの食品を載置したり収納した状態のときに開扉して奥の方にあるものを取り出す際には、前方部にあるものを図２中の２点鎖線で示すように、テーブル板（30）（30′）上に載せることで奥にある物を取り出すことができ、また、収納する場合も、このテーブル板（30）（30′）上を活用することによって、整理して収納することが容易になるとともに、テーブル板（30）（30′）は薄肉の板状であることから、閉扉時には、野菜容器（16）の下面空間に仕舞い込まれ、冷蔵室（６）内の棚載置面や容器内収納部の上部に延びて邪魔になることがない。
【００２９】
前記実施例と同一部分を同一符号で示す図３、図４は、本発明の他の実施例を示すものであって、載置棚（９）に対向している扉内側（26）（26′）の収納ポケット（28）（28′）の壁面から冷蔵室（６）内側に指向して前記実施例と同様のテーブル板（31）（31′）を突設させたものであり、冷蔵室扉（８）（８′）の閉扉時にはこのテーブル板（31）（31′）を天井板（12）あるいは載置棚（９）の下面に添って収納するようにしており、開扉時には、冷蔵室（６）の左右扉（８）（８′）の中段部分に突出して載置テーブルを形成することになる。
【００３０】
また、前記テーブル板（31）（31′）の周縁部には載置したペットボトルなどが滑って落下することを防ぐために表面に滑り止め加工を施したり、立ち上がりリブ（31ａ）を設けるようにしてもよく、さらに、テーブル板（31）（31′）をヒンジ機構などで、通常は収納ポケット（28）の壁面に添わせて立設しておき、必要に応じて水平に倒して使用するようにしてもよい。
【００３１】
前述のように構成しても、前記実施例と同様の効果が得られるものであり、要は、閉扉の際には、テーブル板（30）（31）を野菜容器（16）や載置棚（９）の底面下に添って仕舞い込むことで、貯蔵品の収納スペースを阻害したり、また棚上などに載置しているものと接触して邪魔になることがなく、冷蔵室扉（８）（８′）を開扉した状態では、テーブル板（30）（30′）（31）（31′）を載置棚や容器に近接した箇所に現すようにすることにより、使い勝手のよい機能を簡単に得ることができるものである。
【００３２】
なお、上記実施例では、野菜容器（16）を例として説明したが、他の収納容器であってもよいことは言うまでもなく、野菜室（15）を冷蔵室（６）内の最下段に配置せず、低温室（12）との位置関係を逆にしてもよい。また、前記実施例においては、冷蔵室扉（８）（８′）を観音開き式としたため、室内からの熱漏洩を抑制でき、扉を大形化しても比較的軽い力で開閉できる効果を有するが、本発明はこれに限らず、片側を枢支した一枚扉で冷蔵室扉を形成した構成にも適用できるものであり、また、テーブル板（30）（31）も左右の扉（８）（８′）の個々に設けずに、一方の扉側のみ、あるいは上下の複数箇所に亙って設けるようにしてもよい。
【図面の簡単な説明】
【００３３】
【図１】本発明の１実施形態を示す冷蔵室の縦断面図である。
【図２】図１における冷蔵室扉の開扉状態を示す斜視図である。
【図３】本発明の他の実施例を示す冷蔵庫の一部を切除した縦断面図である。
【図４】図３における冷蔵室扉の開扉状態を示す斜視図である。
【図５】従来の冷蔵庫の形態を示す縦断面図である。
【図６】他の従来の冷蔵庫の形態を示す縦断面図である。
【符号の説明】
【００３４】
１  冷蔵庫本体            ６  冷蔵室                ７  冷凍貯蔵空間
８、８′  冷蔵室扉        ９  載置棚                10  冷蔵貯蔵室
11  天井板                12  低温室                13  低温容器
14  仕切底板              15  野菜室                16  野菜容器
17  スライドレール        18  蓋体                  26、26′  扉内板
27、27′  収納ポケット    28、28′ペットボトル用収納ポケット
29、29′  下方部位        30、30′、31、31′  テーブル板
31ａ  立ち上がりリブ
【図１】
2009228967.tif 000003
【図２】
2009228967.tif 000004
【図３】
2009228967.tif 000005
【図４】
2009228967.tif 000006
【図５】
2009228967.tif 000007
【図６】
2009228967.tif 000008